(57)【要約】      （修正有）【課題】小さくて場所を取らず、ＯＡ機器、電気製品、家具、パーティション、その他場所を問わず所望個所に粘着して用いることができ、本来のカレンダーの機能終了後も、メモホルダーとして利用できるメモホルダー機能付きカレンダーを提供する。【解決手段】台紙１と、前記台紙１上に粘着層を介して脱着可能に配置される樹脂シート製メモホルダー２と、前記メモホルダー２上に粘着層を介して脱着可能に配置される樹脂シート製月別カレンダー３とから成る。好ましくは、前記２つの粘着層は、前記メモホルダー２の表裏に設けられ、また、前記台紙１の表面及び／又は裏面の側縁に、粘着層７が配置される。【選択図】図３
0003119710.tif 000002
【実用新案登録請求の範囲】
【請求項１】
台紙と、前記台紙上に粘着層を介して脱着可能に配置される樹脂シート製メモホルダーと、前記メモホルダー上に粘着層を介して脱着可能に配置される樹脂シート製月別カレンダーとから成るメモホルダー機能付きカレンダー。
【請求項２】
前記２つの粘着層は、前記メモホルダーの表裏に設けられる請求項１に記載のメモホルダー機能付きカレンダー。
【請求項３】
台紙と、前記台紙上に粘着層を介して脱着可能に配置される樹脂シート製月別カレンダーとから成るメモホルダー機能付きカレンダー。
【請求項４】
前記粘着層は前記月別カレンダーの裏面に形成される請求項３に記載のメモホルダー機能付きカレンダー。
【請求項５】
前記台紙の表面及び／又は裏面の側縁に、粘着層が配置される請求項１乃至４のいずれかに記載のメモホルダー機能付きカレンダー。
【考案の詳細な説明】
【技術分野】
【０００１】
本考案はメモホルダー機能付きカレンダー、より詳細には、ＯＡ機器、家具、電気製品その他適宜個所に粘着して用いられ、カレンダー本来の機能の他に、メモホルダーとしての利用も可能なメモホルダー機能付きカレンダーに関するものである。
【背景技術】
【０００２】
カレンダーの多くは吊下式であるが、小型で場所を取らない卓上型やシート磁石を利用したもの等もみられる。これら小型カレンダーの内磁石式のものは、コンピュータやテレビのように、磁力を嫌うものの周辺に使用することができず、また、置き場所がない場合には卓上型も用いることができない。
【０００３】
更に、一般にカレンダーは、暦としての機能以外には広告機能がある位で、多くのものは使用後直ちに廃棄される。
【特許文献１】実用新案登録第３０９４１４０号公報
【考案の開示】
【考案が解決しようとする課題】
【０００４】
本考案は上記事情に鑑みてなされたもので、小さくて場所を取らず、ＯＡ機器、電気製品、家具、パーティション、その他場所を問わず所望個所に粘着して用いることができ、本来のカレンダーの機能終了後も、メモホルダーとして利用できるメモホルダー機能付きカレンダーを提供することを課題とする。
【課題を解決するための手段】
【０００５】
上記課題を解決するための請求項１に記載の考案は、台紙と、前記台紙上に粘着層を介して脱着可能に配置される樹脂シート製メモホルダーと、前記メモホルダー上に粘着層を介して脱着可能に配置される樹脂シート製月別カレンダーとから成るメモホルダー機能付きカレンダーである。好ましくは、前記２つの粘着層は、前記メモホルダーの表裏に設けられ、また、前記台紙の表面及び／又は裏面の側縁に、粘着層が配置される。
【０００６】
上記課題を解決するための請求項３に記載の考案は、台紙と、前記台紙上に粘着層を介して脱着可能に配置される樹脂シート製月別カレンダーとから成るメモホルダー機能付きカレンダーである。好ましくは、前記粘着層は前記月別カレンダーの裏面に形成され、また、前記台紙の表面及び／又は裏面の側縁に、粘着層が配置される。
【考案の効果】
【０００７】
本考案は上記のとおりであるので、小さくて場所を問わず所望の個所に粘着して使用することができ、例えば、経過した月の分のカレンダー部分を除去した後、残存する粘着層を利用してメモ用紙を粘着し又は挟持するメモホルダーとして利用でき、適宜広告を入れてノベルティ商品として用いるのに好適なる効果がある。
【考案を実施するための最良の形態】
【０００８】
本考案を実施するための最良の形態について、添付図面に依拠して説明する。本考案の第１の実施形態のメモホルダー機能付きカレンダーは、台紙１と、台紙１上に粘着層を介して脱着可能に配置される樹脂シート製メモホルダー２と、メモホルダー２上に粘着層を介して脱着可能に担持される樹脂シート製月別カレンダー３とから成る（図１）。
【０００９】
図２は、各部の詳細を説明するための図で、台紙１は、台紙本体４の片面又は両面に、適宜広告文字、模様、写真等の印刷を施し、その上に表面加工、即ち、例えば、ポリプロピレン等のヘッドフィルム５を貼着したものである。勿論、広告文字、模様、写真等をヘッドフィルム５に印刷し、これを台紙本体４に貼着することとしてもよい。
【００１０】
台紙１の表面には、月別カレンダー定着部６を表示する。月別カレンダー定着部６は、図１に示す例では１２ヵ月分用意されるが、これを例えば４ヵ月分とし、「前月」、「当月」、「翌月」、「翌々月」等の表示を記載することとしてもよい（図３参照）。
【００１１】
例えば、パソコンのモニター等に取り付けて使用可能にするために、台紙１の側縁（通例、表面の左側側縁）に粘着層７を設け、その上に剥離可能な剥離材８を被着しておくことが好ましい（図３、図５参照）。
【００１２】
メモホルダー２は、軟質オレフィン系シート等の樹脂シート９の表面に、適宜模様、写真等を印刷したヘッドフィルム１０を定着し、両面にウレタン粘着材等を塗工して粘着層１１、１２を設けて成る。
【００１３】
月別カレンダー３は、１カ月分の暦を印刷した軟質オレフィン系シート等の樹脂シート１３の表面に、表面保護フィルム１４を被装し、あるいは、樹脂シート１３の表面に、１カ月分の暦を印刷した表面保護フィルム１４を被装して成る。言うまでもなく月別カレンダー３は、１月から１２月までの分が用意される。月別カレンダー３の樹脂シート１３及びヘッドフィルム５は、粘着層１１、１２に対して粘着・剥離自在である。
【００１４】
上記構成のカレンダーにおいて、例えば、１月末日に１月の月別カレンダー３をメモホルダー２から剥離すると、メモホルダー２の表面側粘着層１１が露出する。そこで、この粘着層１１を利用し、そこに適宜メモ用紙、伝票類等を押し当てて貼付することができる。また、メモホルダー２を月別カレンダー定着部６から剥取し、独立させて使用することもできる。即ち、剥取したメモホルダー２を、その粘着層１２を介して適宜個所に粘着し、上記同様に使用することができる。また、その場合、粘着する個所と裏面粘着層１２との間に、メモ用紙１５等を挟持させることもできる。
【００１５】
本考案の第２の実施形態のメモホルダー機能付きカレンダーは、台紙１と、台紙１上に粘着層を介して脱着可能に配置される樹脂シート製月別カレンダー３とから成る。即ち、上記第１の実施形態において、メモホルダー２を除き、台紙１の月別カレンダー定着部６上に、あるいは、月別カレンダー３の裏面に粘着層を設けたものである（図４）。
【００１６】
この第２の実施形態においては、月別カレンダー定着部６上に粘着層がある場合は、使用後月別カンレダー３を除去した後、露出する粘着層にメモ用紙１５等を粘着することができ、月別カレンダー３の裏面に粘着層を設けたときは、月別カレンダー３の一部を剥離し、そこにメモ用紙等を挟み入れて挟持させることができる。
【００１７】
このように本考案に係るカレンダーは、磁気を用いないため取付対象に制限がなく、曲面であっても取付可能であり、カレンダーとしての使用後メモホルダーとしての利用が可能で、使用後粘着部への糊残りがなく、粘着層１１、１２に塵埃が付着した場合は、水洗することにより、その粘着力を維持することができる。
【００１８】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００１９】
【図１】本考案の第１の実施形態の構成を示す斜視図である。
【図２】本考案の第１の実施形態の各部の構成を説明するための図である。
【図３】本考案の第１の実施形態の変形例の構成を示す図である。
【図４】本考案の第２の実施形態の構成を示す斜視図である。
【図５】本考案に係るカレンダーの使用方法を示す図である。
【符号の説明】
【００２０】
１        台紙
２        メモホルダー
３        月別カレンダー
４        台紙本体
５        ヘッドフィルム
６        月別カレンダー定着部
７        粘着層
８        剥離材
９        樹脂シート
１０        ヘッドフィルム
１１、１２  粘着層
１３        樹脂シート
１４        表面保護フィルム
１５        メモ用紙
【図１】
0003119710.tif 000003
【図２】
0003119710.tif 000004
【図３】
0003119710.tif 000005
【図４】
0003119710.tif 000006
【図５】
0003119710.tif 000007
【手続補正書】
【提出日】平成17年12月27日(2005.12.27)
【手続補正１】
【補正対象書類名】図面
【補正対象項目名】図３
【補正方法】変更
【補正の内容】
【図３】
0003119710.tif 000008
【手続補正２】
【補正対象書類名】図面
【補正対象項目名】図５
【補正方法】変更
【補正の内容】
【図５】
0003119710.tif 000009